(57)【要約】      （修正有）【課題】容易に着脱することができ、かつ、巻回する部分のサイズ調整が可能なネクタイ装飾具を提供すること。【解決手段】ネクタイの前面に配される装飾具本体２と、装飾具本体に貫通される装飾紐体３と、装飾紐体３の一端から延伸された箇所に設けられた開閉リング３２と、装飾紐体の他端から延伸された箇所に設けられた第一磁性体３１と、開閉リング３２が位置調整可能に係止されるチェーンリング４２及びチェーンリングの一端に設けられて第一磁性体３１に磁着する第二磁性体４１を備えた連結具とを備えることを特徴とする、ネクタイ装飾具１を提供する。【選択図】図１
2017109065.tif 000002
【特許請求の範囲】
【請求項１】
ネクタイ前面に配される装飾具本体と、
前記装飾具本体に貫通される装飾紐体と、
前記装飾紐体の一端から延伸された箇所に設けられた開閉リングと、
前記装飾紐体の他端から延伸された箇所に設けられた第一磁性体と、
前記開閉リングが位置調整可能に係止されるチェーンリング、及び前記チェーンリングの一端に設けられて前記第一磁性体に磁着する第二磁性体を備えた連結具とを備えることを特徴とする、ネクタイ装飾具。
【請求項２】
前記連結具は、前記チェーンリングの前記一端と反対側の他端に設けられた係止具を備えることを特徴とする、請求項１に記載のネクタイ装飾具。
【請求項３】
前記装飾紐体は布製であることを特徴とする、請求項１又は２に記載のネクタイ装飾具。
【請求項４】
ネクタイ前面に配される装飾具本体と、
前記装飾具本体に貫通される装飾紐体と、
前記装飾紐体の一端から延伸された箇所に設けられた第一磁性体と、
前記装飾紐体の他端から延伸された箇所に設けられた第二磁性体とを備えることを特徴とする、ネクタイ装飾具。
【発明の詳細な説明】
【技術分野】
【０００１】
本発明は、ネクタイの結び目の周辺に装着されるネクタイ装飾具に関する。
【背景技術】
【０００２】
ネクタイの結び目の周辺に装着されるネクタイ装飾具が知られている。ネクタイのデザインに更に装飾を加えるものである。
【０００３】
例えば特許文献１には、ネクタイをねじった部分（ノット）に巻回して装着するネクタイ装飾具が開示されている。
【０００４】
しかし、特許文献１に開示されたネクタイ装飾具は、巻回する部分によって装飾具本体を保持するため、ネクタイに特殊な構造を必要とする。ネクタイ装飾具の着脱や、巻回する部分の（ノットに合わせた）サイズ調整が容易でない。
【先行技術文献】
【特許文献】
【０００５】
【特許文献１】特開２０１０−０４２１９４号公報
【発明の概要】
【発明が解決しようとする課題】
【０００６】
本発明は、容易に着脱することができ、かつ、巻回する部分のサイズ調整が可能なネクタイ装飾具を提供することを課題とする。
【課題を解決するための手段】
【０００７】
本発明のネクタイ装飾具は、
ネクタイ前面に配される装飾具本体と、
前記装飾具本体に貫通される装飾紐体と、
前記装飾紐体の一端から延伸された箇所に設けられた開閉リングと、
前記装飾紐体の他端から延伸された箇所に設けられた第一磁性体と、
前記開閉リングが位置調整可能に係止されるチェーンリング、及び前記チェーンリングの一端に設けられて前記第一磁性体に磁着する第二磁性体を備えた連結具とを備えることを特徴とする。
【０００８】
この特徴によれば、第一磁性体と第二磁性体とを磁気的に着脱することで、巻回する部分を固定／開放することができ、ネクタイ装飾具を容易に着脱することができる。ここで、第一磁性体及び第二磁性体は、逆極性の２のマグネットでも、一方がマグネットで他方が鉄等の磁性金属であってもよい。
また、開閉リングを係止するチェーンリングの位置を選択して、巻回する部分の長さを調整することができる。ここで、「開閉リング」は、例えば、一部が切り欠かれた筒状のリングの内軸がバネで移動して切り欠き部分が開閉する広く知られたものである。他にもリングの一部を操作によって開閉することができるものであればいかなるものであってもよい。
【０００９】
本発明のネクタイ装飾具は、
前記連結具は、前記チェーンリングの前記一端と反対側の他端に設けられた係止具を備えることを特徴とする。
【００１０】
この特徴によれば、ネクタイ装飾具をネクタイやシャツに係止して、位置を安定させることができる。ここで、「係止具」は、ネクタイピンの小型のもの、シャツのボタン糸に止めるもの、その他任意のものを用いることができる。
【００１１】
本発明のネクタイ装飾具は、
前記装飾紐体は布製であることを特徴とする。
【００１２】
装飾紐体は布製、革製、金属製等であってよいが、この特徴（布製）によれば、ネクタイ前面から見た時に装飾具本体と装飾紐体を合わせて全体的に視認され、全体としての装飾効果を得ることができる。
【００１３】
本発明のネクタイ装飾具は、
ネクタイ前面に配される装飾具本体と、
前記装飾具本体に貫通される装飾紐体と、
前記装飾紐体の一端から延伸された箇所に設けられた第一磁性体と、
前記装飾紐体の他端から延伸された箇所に設けられた第二磁性体とを備えることを特徴とする。
【００１４】
この特徴によれば、巻回する部分の長さを調整する必要がない場合に、簡素な構成で容易に着脱することができるネクタイ装飾具を提供することができる。
【発明の効果】
【００１５】
本発明によれば、容易に着脱することができ、かつ、巻回する部分のサイズ調整が可能なネクタイ装飾具を提供することが可能となる。
【図面の簡単な説明】
【００１６】
【図１】図１は、ネクタイ装飾具の構成を示す図である。
【図２】図２は、ネクタイ装飾具を装着した状態を示す図である。
【発明を実施するための形態】
【００１７】
図１は、ネクタイ装飾具の構成を示す図である。ネクタイ装飾具１は、装飾具本体２、装飾紐体３、及び連結具４を備えている。
【００１８】
装飾具本体２は、ネクタイ前面に配される主たる装飾部分である。図では十字形状で示しているが、星型、円型等の任意の形状でよく、球、立方体等の立体形状であってもよい。また、動物、植物、社章等を模した形状でもよい。宝石、ガラス玉等を付して装飾効果を高めてもよい。
【００１９】
装飾具本体２には、紐体３を貫通させるリング２１が備えられている。ただし、リング２１に替えて装飾具本体２に孔をあける等、任意の機構で紐体３を貫通させてよい。
【００２０】
装飾紐体３は、例えば刺繍模様の施された布である。模様は任意のもの（又はなし）でよく、布でなく金属等であってもよい。装飾具本体２と合わせた装飾効果に基づいて設計することができる。
【００２１】
装飾紐体３の一端には、チェーンを介して、第一磁性体３１が設けられている。そして、他端には、チェーンを介して開閉リング３２が設けられている。
【００２２】
連結具４は、チェーンリング４２の一端に第二磁性体４１を、他端に係止具４３を設けたものである。連結具４は、鉄等の磁性金属であっても（第二磁性体４１を兼ねても）よい。また、ネックレスの留め具（クラスプ）として用いられる任意のもの（例えば面ファスナ）が、巻回する部分の固定/開放に使える。
【００２３】
図２は、ネクタイ装飾具を装着した状態を示す図である。図２（Ａ）は正面から見た図である。装飾具本体２及び装飾紐体３が視認される。装飾具本体２と装飾紐体３とを合わせた装飾効果を得るものである。
【００２４】
図２（Ｂ）は、図２（Ａ）のＣ−Ｃ線断面を示す。以下、図２（Ｂ）に基づいてネクタイ装飾具１の着脱を説明する。
【００２５】
装着するには、第一磁性体３１と第二磁性体４１とを磁着させておき、ネクタイ５のノット５１の直下の位置（ブレード５２の上端）にネクタイ装飾具１を回着する。その際、チェーンリング４２をネクタイ５の後方に回し、前方に回ってくるチェーンリング４２の長さが装着箇所のネクタイ５の大きさに合うように、開閉リング３２をチェーンリングに係止する位置を定める。これにより、巻回される部分の長さ（ループ６の周長：点線で示す）が装飾箇所に合わせて調整され、ネクタイ装飾具１がブレード５２に固定される。
【００２６】
その後、係止具４３を止めて（本実施例ではワイシャツのボタン糸に掛けて）ネクタイ装飾具１の移動を防止することができる。なお、係止具４３の形態及びその止め方は適宜に設計してよい。
【００２７】
取外すには、第一磁性体３１と第二磁性体４１とを分離すれば、ループが切離される。容易に取外すことができる。
【００２８】
なお、開閉リング３２及びチェーンリング４２を省略し、第二磁性体４１を開閉リング３２の位置に設けてもよい。
【産業上の利用可能性】
【００２９】
容易に着脱することができ、かつ、巻回する部分のサイズ調整が可能なネクタイ装飾具であり、多くの個人による利用が考えられる。また、社員全員に共通の装飾をさせるための企業による利用も考えられる。
【符号の説明】
【００３０】
１    ネクタイ装飾具
２    装飾具本体
２１  リング
３    装飾紐体
３１  第一磁性体
３２  開閉リング
４    連結具
４１  第二磁性体
４２  チェーンリング
４３  係止具
５    ネクタイ
５１  ノット
５２  ブレード
６    ループ
【図１】
2017109065.tif 000003
【図２】
2017109065.tif 000004